(57)【要約】【課題】ユーザ端末装置への干渉を低減すること。【解決手段】送信制御装置は、メモリと、前記メモリに接続されたプロセッサとを有し、前記プロセッサは、それぞれ信号を端末装置へ無線送信する複数の送信点の間の回線品質に基づいて、回線品質が所定の基準を満たす送信点間にリンクを生成することにより、連続するリンクで接続された送信点のグループを形成し、前記複数の送信点のうち前記端末装置における受信電力が所定の条件よりも高い少なくとも２つの送信点が同一のグループに含まれるか否かを判定し、同一のグループに含まれないと判定した場合に、前記少なくとも２つの送信点が同一のグループに含まれるようにリンクを調整する処理を実行する。【選択図】図２
2018160857.tif 000002
【特許請求の範囲】
【請求項１】
メモリと、
前記メモリに接続されたプロセッサとを有し、
前記プロセッサは、
それぞれ信号を端末装置へ無線送信する複数の送信点の間の回線品質に基づいて、回線品質が所定の基準を満たす送信点間にリンクを生成することにより、連続するリンクで接続された送信点のグループを形成し、
前記複数の送信点のうち前記端末装置における受信電力が所定の条件よりも高い少なくとも２つの送信点が同一のグループに含まれるか否かを判定し、
同一のグループに含まれないと判定した場合に、前記少なくとも２つの送信点が同一のグループに含まれるようにリンクを調整する
処理を実行することを特徴とする送信制御装置。
【請求項２】
前記プロセッサは、
調整されたリンクを用いて前記複数の送信点にキャリブレーション信号を送受信させ、
キャリブレーション信号を用いたチャネル推定結果に基づいて、前記複数の送信点が備える送信回路及び受信回路の伝送特性の相違を校正するキャリブレーション係数を算出する
処理をさらに実行することを特徴とする請求項１記載の送信制御装置。
【請求項３】
前記判定する処理は、
前記端末装置における受信電力が高い順に所定数の送信点が同一のグループに含まれるか否かを判定することを特徴とする請求項１記載の送信制御装置。
【請求項４】
前記判定する処理は、
前記端末装置における受信電力が所定の閾値以上の送信点が同一のグループに含まれるか否かを判定することを特徴とする請求項１記載の送信制御装置。
【請求項５】
前記調整する処理は、
前記少なくとも２つの送信点が同一のグループに含まれないと判定した場合に、前記少なくとも２つの送信点のうちの１つの送信点が所属する第１グループ内の送信点と、前記少なくとも２つの送信点のうちの他の１つの送信点が所属する第２グループ内の送信点との間にリンクを生成することを特徴とする請求項１記載の送信制御装置。
【請求項６】
前記調整する処理は、
前記第１グループ内の送信点と前記第２グループ内の送信点との間の回線品質に基づいて、リンクによって接続する送信点を決定することを特徴とする請求項５記載の送信制御装置。
【請求項７】
前記調整する処理は、
前記第１グループ内の送信点からの受信電力と前記第２グループ内の送信点からの受信電力との双方が所定の条件よりも高い端末装置を検出し、
検出された端末装置と前記第１グループ内の送信点及び前記第２グループ内の送信点との間のキャリブレーション係数を算出し、
算出されたキャリブレーション係数に基づいて、前記第１グループ内の送信点と前記第２グループ内の送信点との間のキャリブレーション係数を算出する
ことを特徴とする請求項５記載の送信制御装置。
【請求項８】
送信制御装置と、前記送信制御装置に接続されそれぞれ端末装置へ信号を無線送信する複数の送信点とを有する無線通信システムであって、
前記送信制御装置は、
メモリと、
前記メモリに接続されたプロセッサとを有し、
前記プロセッサは、
前記複数の送信点の間の回線品質に基づいて、回線品質が所定の基準を満たす送信点間にリンクを生成することにより、連続するリンクで接続された送信点のグループを形成し、
前記複数の送信点のうち前記端末装置における受信電力が所定の条件よりも高い少なくとも２つの送信点が同一のグループに含まれるか否かを判定し、
同一のグループに含まれないと判定した場合に、前記少なくとも２つの送信点が同一のグループに含まれるようにリンクを調整する
処理を実行し、
前記送信点は、
キャリブレーション信号に対して無線送信処理を実行し、前記調整する処理において調整されたリンクを用いて、無線送信処理後のキャリブレーション信号を送信する送信回路と、
前記調整する処理において調整されたリンクを用いて、キャリブレーション信号を受信し、受信したキャリブレーション信号に対して無線受信処理を実行する受信回路とを有する
ことを特徴とする無線通信システム。
【請求項９】
それぞれ信号を端末装置へ無線送信する複数の送信点の間の回線品質に基づいて、回線品質が所定の基準を満たす送信点間にリンクを生成することにより、連続するリンクで接続された送信点のグループを形成し、
前記複数の送信点のうち前記端末装置における受信電力が所定の条件よりも高い少なくとも２つの送信点が同一のグループに含まれるか否かを判定し、
同一のグループに含まれないと判定した場合に、前記少なくとも２つの送信点が同一のグループに含まれるようにリンクを調整し、
調整されたリンクを用いて前記複数の送信点にキャリブレーション信号を送受信させ、
キャリブレーション信号を用いたチャネル推定結果に基づいて、前記複数の送信点が備える送信回路及び受信回路の伝送特性の相違を校正するキャリブレーション係数を算出する
処理を有することを特徴とするキャリブレーション方法。
【発明の詳細な説明】
【技術分野】
【０００１】
本発明は、送信制御装置、無線通信システム及びキャリブレーション方法に関する。
【背景技術】
【０００２】
一般に、分散アンテナシステムでは、アンテナを備える送信点（Transmission  Point：ＴＰ）が地理的に分散して配置され、ユーザとなる端末装置（User  Equipment：ＵＥ）に対して複数のＴＰから協調送信が行われることがある。複数のＵＥに対して同時に協調送信が行われる場合、各ＵＥの受信信号における他ＵＥ宛ての信号成分が十分小さくなるように、ユーザ間の直交性を実現する送信ウェイトが適用される。送信ウェイトは、各ＴＰから各ＵＥへ向かう下りチャネルの情報に基づいて算出されるため、送信側において高精度な下りチャネル情報を取得することが望ましい。
【０００３】
下りチャネル情報の取得方法としては、下り回線で送信される参照信号に基づいてＵＥがチャネル推定を行い、チャネル推定結果を上り回線でフィードバックする方法がある。また、上り回線と下り回線の通信で同じ周波数を使用するＴＤＤ（Time  Division  Duplex）方式では、上り回線と下り回線の無線チャネルの対称性を利用して、上り回線のチャネル推定結果から下りチャネル情報を推定する方法がある。
【０００４】
ところで、上り回線及び下り回線の無線チャネルは対称であり同等である一方、ＴＰ及びＵＥなどの各装置の送受信回路の伝送特性は異なっている。このため、例えば上り回線の参照信号から推定される上り回線のチャネル推定値は、実際の下り回線のチャネルを正確に示すものではない。
【０００５】
すなわち、例えば上り回線の信号は、ＵＥの送信回路を通過して上り回線の無線チャネルを経由し、ＴＰの受信回路を通過する。これに対して、下り回線の信号は、ＴＰの送信回路を通過して下り回線の無線チャネルを経由し、ＵＥの受信回路を通過する。このため、チャネル推定される上り回線のチャネルは、ＵＥの送信回路及びＴＰの受信回路を含む一方で、実際の下り回線のチャネルは、ＴＰの送信回路及びＵＥの受信回路を含む。そして、送信回路及び受信回路の伝送特性は、ＴＰとＵＥとで異なっているため、これらの送受信回路の伝送特性の相違によって、上り回線及び下り回線のチャネルは互いに相違する。
【０００６】
そこで、上り回線のチャネル推定値から正確な下りチャネル情報を得るために、キャリブレーションが実行されることがある。キャリブレーションは、複数の送受信回路の伝送特性の相違を校正する処理であり、例えば既知の試験信号を送受信することにより、複数のチャネルにおける位相回転及び振幅変動などの相対関係を求める。具体的に、分散配置された複数のＴＰのキャリブレーション方法として、ＴＰ間で既知の試験信号を交互に送受信し、その結果からキャリブレーション係数を算出する方法がある。
【０００７】
図１６は、ベースバンド処理装置（Centralized-BaseBand  Unit：Ｃ−ＢＢＵ）に接続されたＴＰ＃ｍとＴＰ＃ｎの間のキャリブレーションを説明する図である。
【０００８】
ＴＰ＃ｍからＴＰ＃ｎへ試験信号を送信して得られるチャネル応答ｆTP(m,n)と、ＴＰ＃ｎからＴＰ＃ｍに同じ試験信号を送信して得られるチャネル応答ｇTP(m,n)との比を取ることで、以下の式（１）に示すように、ＴＰ＃ｍとＴＰ＃ｎの間のキャリブレーション係数ｃm,nを算出することができる。
【数１】
2018160857.tif 000003
【０００９】
ただし、式（１）において、Ｔm、ＲmはそれぞれＴＰ＃ｍの送信回路、受信回路の伝送特性を示し、Ｔn、ＲnはそれぞれＴＰ＃ｎの送信回路、受信回路の伝送特性を示す。式（１）によって算出されるキャリブレーション係数ｃm,nにより、複数のＴＰの送受信回路の伝送特性の相違を校正することができる。したがって、協調送信においては、送受信回路の伝送特性の相違による影響を排除して、複数のＴＰから信号を送信することが可能となる。
【先行技術文献】
【特許文献】
【００１０】
【特許文献１】特開２０１１−２１７０４６号公報
【特許文献２】特表２００７−５１７４４０号公報
【特許文献３】特表２０１５−５３２０５１号公報
【発明の概要】
【発明が解決しようとする課題】
【００１１】
上述したように、複数のＴＰについてキャリブレーションをすることにより、これらのＴＰによる協調送信が可能となる。このとき、一定程度以上のキャリブレーションの精度を確保するためには、例えばＳＮＲ（Signal  to  Noise  Ratio）などの回線品質が所定の基準を満たすＴＰ間でキャリブレーションを実行するのが好ましい。このため、回線品質が所定の基準を満たすＴＰのペアの間にキャリブレーション用のリンクを形成し、各リンクにおけるキャリブレーション係数を算出することが考えられる。
【００１２】
この場合、複数のリンクを介して間接的に接続されるＴＰ間でもキャリブレーションが可能であるため、連続したリンクで接続されるＴＰであれば、任意の２つのＴＰの間でキャリブレーションができる。すなわち、例えば図１７に示すように、分断されることなくリンクで接続されるＴＰをグループ化して、キャリブレーションが可能なＴＰのグループ（以下「ＣＡＬグループ」という）を形成することができる。図１７に示す例では、ＴＰ＃１、ＴＰ＃２、ＴＰ＃４、ＴＰ＃５、ＴＰ＃６及びＴＰ＃７は、分断されることなくリンクで接続されるため、１つのＣＡＬグループ＃１を形成する。同様に、ＴＰ＃３、ＴＰ＃８及びＴＰ＃９は、分断されることなくリンクで接続されるため、１つのＣＡＬグループ＃２を形成する。
【００１３】
このように、回線品質が所定の基準を満たすＴＰ間を接続するリンクが分断されないＣＡＬグループ内では、任意のＴＰ間のキャリブレーションが可能であるため、同一のＣＡＬグループに属するＴＰによる協調送信が可能となる。
【００１４】
しかしながら、ＣＡＬグループ内のＴＰが協調送信をする場合、ＵＥにおいて他のＣＡＬグループに属するＴＰからの干渉電力が大きくなることがあるという問題がある。例えば図１７に示した例において、ＣＡＬグループ＃１とＣＡＬグループ＃２の境界付近に位置するＵＥに対して、ＣＡＬグループ＃１に属するＴＰが協調送信をする場合について考える。この場合、ＣＡＬグループ＃１内の複数のＴＰがＵＥに対して協調送信をするので、ＣＡＬグループ＃１内のＴＰがＵＥに干渉を与えることはない。一方、ＣＡＬグループ＃２に属する例えばＴＰ＃３は、ＣＡＬグループ＃１に属するＴＰと協調送信をすることはないため、大きい干渉をＵＥに与える可能性がある。
【００１５】
ここで、ＴＰ＃３については、ＣＡＬグループ＃１に属するいずれのＴＰともキャリブレーション用のリンクで接続されていないため、ＣＡＬグループ＃１に属する各ＴＰの位置では、ＴＰ＃３からの干渉は小さいと考えられる。しかし、例えばＴＰ＃３とＣＡＬグループ＃１内のＴＰとの間に遮蔽物が存在し、この結果、ＴＰ間にキャリブレーション用のリンクが形成されていない場合には、必ずしもＵＥにおける干渉が小さいとは限らない。
【００１６】
すなわち、例えば図１８に示すように、ＴＰ＃２とＴＰ＃３の間に遮蔽物１０が存在する場合、ＴＰ＃２とＴＰ＃３の間の回線品質が所定の基準を満たさないため、ＴＰ＃２とＴＰ＃３の間にキャリブレーション用のリンクは形成されない。これに対して、ＵＥとＴＰ＃２の間及びＵＥとＴＰ＃３の間には遮蔽物が存在しないため、ＵＥにおいては、ＴＰ＃２及びＴＰ＃３の双方からの受信電力が大きくなる。このため、ＴＰ＃２とＴＰ＃３が異なるＣＡＬグループに属する場合には、一方のＣＡＬグループ内のＴＰ＃２がＵＥに対して協調送信をすると、他方のＣＡＬグループに属するＴＰ＃３からＵＥへの干渉電力が大きくなる。
【００１７】
開示の技術は、かかる点に鑑みてなされたものであって、ユーザ端末装置への干渉を低減することができる送信制御装置、無線通信システム及びキャリブレーション方法を提供することを目的とする。
【課題を解決するための手段】
【００１８】
本願が開示する送信制御装置は、１つの態様において、メモリと、前記メモリに接続されたプロセッサとを有し、前記プロセッサは、それぞれ信号を端末装置へ無線送信する複数の送信点の間の回線品質に基づいて、回線品質が所定の基準を満たす送信点間にリンクを生成することにより、連続するリンクで接続された送信点のグループを形成し、前記複数の送信点のうち前記端末装置における受信電力が所定の条件よりも高い少なくとも２つの送信点が同一のグループに含まれるか否かを判定し、同一のグループに含まれないと判定した場合に、前記少なくとも２つの送信点が同一のグループに含まれるようにリンクを調整する処理を実行する。
【発明の効果】
【００１９】
本願が開示する送信制御装置、無線通信システム及びキャリブレーション方法の１つの態様によれば、ユーザ端末装置への干渉を低減することができるという効果を奏する。
【図面の簡単な説明】
【００２０】
【図１】図１は、実施の形態１に係る無線通信システムの構成を示す図である。
【図２】図２は、実施の形態１に係るベースバンド処理装置の構成を示すブロック図である。
【図３】図３は、実施の形態１に係るＤＬ送信方法を示すフロー図である。
【図４】図４は、実施の形態１に係るＣＡＬリンク調整処理を示すフロー図である。
【図５】図５は、検出頻度テーブルの具体例を示す図である。
【図６】図６は、協調セットを説明する図である。
【図７】図７は、直接リンク生成を説明する図である。
【図８】図８は、間接リンク生成を説明する図である。
【図９】図９は、ＣＡＬグループの変更の具体例を示す図である。
【図１０】図１０は、ＣＡＬグループの変更の他の具体例を示す図である。
【図１１】図１１は、ＣＡＬグループの変更のさらに他の具体例を示す図である。
【図１２】図１２は、ＣＡＬグループの変更のさらに他の具体例を示す図である。
【図１３】図１３は、実施の形態２に係るＣＡＬリンク調整処理を示すフロー図である。
【図１４】図１４は、候補ＴＰの選択を説明する図である。
【図１５】図１５は、ＵＥを介したキャリブレーションを示すシーケンス図である。
【図１６】図１６は、キャリブレーションを説明する図である。
【図１７】図１７は、ＣＡＬグループの具体例を示す図である。
【図１８】図１８は、ＴＰとＵＥの位置関係の具体例を示す図である。
【発明を実施するための形態】
【００２１】
以下、本願が開示する送信制御装置、無線通信システム及びキャリブレーション方法の実施の形態について、図面を参照して詳細に説明する。なお、この実施の形態により本発明が限定されるものではない。
【００２２】
（実施の形態１）
図１は、実施の形態１に係る無線通信システムの構成を示す図である。図１に示すように、無線通信システムは、ベースバンド処理装置１００と複数の送信点（ＴＰ）１１０とを有し、各ＴＰ１１０は、ベースバンド処理装置１００に接続されている。なお、図１では省略したが、他の複数のＴＰが他のベースバンド処理装置に接続されて配置されても良い。
【００２３】
ベースバンド処理装置１００は、図示しないユーザ端末装置（ＵＥ）に対して信号を送信する際に、複数のＴＰ１１０を協調させて信号を送信させる。すなわち、ベースバンド処理装置１００は、ＵＥ宛てのベースバンド信号を生成し、プリコーディングをした上で、送信元のＴＰ１１０へベースバンド信号を送信する。このとき、ベースバンド処理装置１００は、ＵＥから各ＴＰ１１０へ向かう上り回線（Uplink：以下「ＵＬ」と略記する）のチャネル推定値に基づいて各ＴＰ１１０からＵＥへ向かう下り回線（Downlink：以下「ＤＬ」と略記する）のチャネル推定値を算出し、ＤＬのチャネル推定値からプリコーディング行列を生成する。
【００２４】
また、ベースバンド処理装置１００は、複数のＴＰ１１０による協調送信を実行するために、複数のＴＰ１１０のキャリブレーションを実行する。すなわち、ベースバンド処理装置１００は、自装置に接続された複数のＴＰ１１０からペアを形成し、形成したペアのＴＰ１１０間にキャリブレーション用のリンク（以下「ＣＡＬリンク」という）を生成する。そして、ベースバンド処理装置１００は、ＣＡＬリンクで接続されたＴＰ１１０間でキャリブレーション用の参照信号（以下「ＣＡＬ信号」という）を送受信させ、ＴＰ１１０間のキャリブレーションを実行する。
【００２５】
ベースバンド処理装置１００は、ＣＡＬリンクを生成する際、起点となる１つのＴＰからＳＮＲが基準を満たすＴＰをリンクで接続していくことにより、分断されずにＣＡＬリンクで接続された複数のＴＰを含むＣＡＬグループを形成する。その後、ベースバンド処理装置１００は、１つのＣＡＬグループに属するＴＰによる協調送信時に、他のＣＡＬグループに属するＴＰからの干渉電力が小さくなるようにＣＡＬリンクを調整し、ＣＡＬグループを変更する。ベースバンド処理装置１００によるＣＡＬリンクの生成及び調整については、後に詳述する。
【００２６】
ＴＰ１１０は、図示しないＵＥとの間で無線通信する。すなわち、ＴＰ１１０は、ＵＥ宛てのベースバンド信号をベースバンド処理装置１００から受信すると、このベースバンド信号に対して所定の無線送信処理を施し、アンテナを介して無線送信する。また、ＴＰ１１０は、ＵＥから無線送信された信号をアンテナを介して受信し、受信信号に対して所定の無線受信処理を施す。そして、ＴＰ１１０は、無線受信処理によって得られたベースバンド信号をベースバンド処理装置１００へ送信する。
【００２７】
ＴＰ１１０は、アンテナごとにそれぞれ送信回路及び受信回路を有している。送信回路は、例えばＤ／Ａ（Digital/Analog）変換及びアップコンバートなどの無線送信処理を実行し、受信回路は、例えばダウンコンバート及びＡ／Ｄ（Analog/Digital）変換などの無線受信処理を実行する。
【００２８】
これらのアンテナごとの送信回路及び受信回路は、異なる伝送特性を有するため、上述したように、ベースバンド処理装置１００によってキャリブレーションが実行される。キャリブレーション時には、送信回路は、ＣＡＬ信号に対して無線送信処理を実行し、ＣＡＬリンクが生成されたＴＰ１１０間で、無線送信処理後のＣＡＬ信号を送信する。また、受信回路は、ＣＡＬリンクが生成されたＴＰ１１０間で送信されるＣＡＬ信号を受信し、受信したＣＡＬ信号に対して無線受信処理を実行する。
【００２９】
なお、ＴＰ１１０が複数のアンテナを備える場合には、各ＴＰ１１０においてあらかじめ決定された基準アンテナ間のキャリブレーションが実行されても良い。この場合、それぞれのＴＰ１１０において、基準アンテナと他のアンテナとの間のキャリブレーションが実行されれば、すべてのＴＰ１１０間及びすべてのアンテナ間でのキャリブレーションが実行されたことになる。
【００３０】
図２は、実施の形態１に係るベースバンド処理装置１００の構成を示すブロック図である。図２に示すベースバンド処理装置１００は、送信インタフェース部（以下「送信Ｉ／Ｆ部」と略記する）１０１、受信インタフェース部（以下「受信Ｉ／Ｆ部」と略記する）１０２、プロセッサ１０３及びメモリ１０４を有する。
【００３１】
送信Ｉ／Ｆ部１０１は、複数のＴＰ１１０と接続し、プロセッサ１０３から出力される信号を各ＴＰ１１０へ送信する。
【００３２】
受信Ｉ／Ｆ部１０２は、複数のＴＰ１１０と接続し、各ＴＰ１１０から送信された信号を受信し、プロセッサ１０３へ出力する。
【００３３】
プロセッサ１０３は、例えばＣＰＵ（Central  Processing  Unit）、ＦＰＧＡ（Field  Programmable  Gate  Array）又はＤＳＰ（Digital  Signal  Processor）などを備え、メモリ１０４を利用して種々の処理を実行する。具体的には、プロセッサ１０３は、測定信号送信部２０１、測定信号受信部２０２、ＳＮＲ算出部２０３、ＣＡＬリンク生成部２０４、ＣＡＬリンク調整部２０５、ＣＡＬ信号送信部２０６、ＣＡＬ信号受信部２０７、ＣＡＬ係数算出部２０８、ＵＬ信号受信部２０９、チャネル推定値補正部２１０及びＤＬ信号送信部２１１を有する。
【００３４】
測定信号送信部２０１は、ＴＰ１１０間のＳＮＲを測定するための既知の測定信号を各ＴＰ１１０から順番に送信させる。すなわち、測定信号送信部２０１は、送信Ｉ／Ｆ部１０１に接続されたＴＰ１１０から１つずつ順番に測定信号を送信させる。測定信号送信部２０１は、各ＴＰ１１０からの測定信号の送信を、例えば１日１回などの所定の周期で実行する。また、測定信号送信部２０１は、例えば後述するＣＡＬ信号受信部２０７によって受信されるＣＡＬ信号の平均受信レベルが所定の閾値未満になった場合に、各ＴＰ１１０からの測定信号の送信を実行しても良い。
【００３５】
測定信号受信部２０２は、ＴＰ１１０から順次送信され他のＴＰ１１０が受信した測定信号を受信する。すなわち、上述したように、ＴＰ１１０は１つずつ順番に測定信号を送信するため、各ＴＰ１１０は、自己以外のＴＰ１１０から送信された測定信号を受信する。なお、測定信号送信部２０１及び測定信号受信部２０２による測定信号の送受信は、例えばＴＤＤにおいてＤＬとＵＬが切り替わる境界に配置されるガードピリオド（Guard  Period：ＧＰ）を利用して実行されても良い。
【００３６】
ＳＮＲ算出部２０３は、測定信号受信部２０２によって受信された測定信号を用いて、ＴＰ１１０間の回線品質を測定する。具体的には、ＳＮＲ算出部２０３は、２つのＴＰ１１０の組み合わせごとに、両方向に送信された測定信号のＳＮＲをそれぞれ算出する。したがって、ＳＮＲ算出部２０３は、すべてのＴＰ１１０のペアについて、両方向のＳＮＲを算出する。
【００３７】
ＣＡＬリンク生成部２０４は、ＳＮＲ算出部２０３によって算出されたＳＮＲを用いて、キャリブレーションを実行するペアのＴＰ１１０間をＣＡＬリンクで接続する。すなわち、ＣＡＬリンク生成部２０４は、回線品質が所定の基準を満たすＴＰ１１０をペアに決定し、ペアとなるＴＰ１１０間をＣＡＬリンクによって接続する。具体的には、ＣＡＬリンク生成部２０４は、各ＴＰ１１０におけるＳＮＲに基づいて、ＳＮＲが所定の閾値以上となるＴＰ１１０のすべてのペアを特定する。そして、ＣＡＬリンク生成部２０４は、起点となるＴＰ１１０から順にペアとなるＴＰをＣＡＬリンクで接続していく。これにより、ＣＡＬリンク生成部２０４は、分断されずにＣＡＬリンクで接続された複数のＴＰ１１０をグループ化して、ＣＡＬグループを形成する。同一のＣＡＬグループ内の任意の２つのＴＰ１１０は、連続するＣＡＬリンクによって接続されるため、これらの２つのＴＰ１１０間のキャリブレーションをすることが可能である。換言すれば、同一のＣＡＬグループ内の複数のＴＰ１１０は、ＵＥに対する協調送信をすることが可能である。
【００３８】
ＣＡＬリンク調整部２０５は、ＣＡＬリンク生成部２０４によって生成されたＣＡＬリンクを調整し、ＣＡＬグループを変更する。具体的には、ＣＡＬリンク調整部２０５は、ＵＥにおける各ＴＰ１１０からの受信電力に基づいて、ＵＥに対して協調送信を実行するのが好ましい複数のＴＰ１１０のセット（以下「協調セット」という）をＵＥごとに特定する。そして、ＣＡＬリンク調整部２０５は、協調セットに含まれるＴＰ１１０のうち、属するＣＡＬグループが異なるＴＰ１１０が１つのＣＡＬグループに属するように、ＴＰ１１０間に新たなＣＡＬリンクを生成する。すなわち、ＣＡＬリンク調整部２０５は、協調セットに含まれるＴＰ１１０の中で、他のＴＰ１１０とは異なるＣＡＬグループに属するＴＰ１１０を特定し、特定されたＴＰ１１０が属するＣＡＬグループと他のＴＰ１１０が属するＣＡＬグループとを結合する。
【００３９】
ＣＡＬ信号送信部２０６は、ＣＡＬリンク調整部２０５によって調整されたＣＡＬリンクを有するすべてのＴＰ１１０間でＣＡＬ信号を送信させる。すなわち、ＣＡＬ信号送信部２０６は、ＣＡＬリンクが調整された後のＣＡＬグループにおいて、各ＴＰ１１０から順次ＣＡＬ信号を送信させる。このとき、ＣＡＬ信号送信部２０６は、複数のＴＰ１１０から同時にＣＡＬ信号を送信させても良い。この場合には、ＣＡＬ信号送信部２０６は、各ＴＰ１１０から送信されるＣＡＬ信号として、互いに直交する系列を用いる。
【００４０】
ＣＡＬ信号受信部２０７は、ＣＡＬリンク調整部２０５によって調整されたＣＡＬリンクを有するすべてのＴＰ１１０に受信されたＣＡＬ信号を受信する。
【００４１】
ＣＡＬ係数算出部２０８は、ＣＡＬ信号受信部２０７によって受信されたＣＡＬ信号を用いてチャネル推定を実行し、各ＴＰ１１０の送信回路及び受信回路の伝送特性の相違を校正するキャリブレーション係数（以下「ＣＡＬ係数」という）を算出する。具体的には、ＣＡＬ係数算出部２０８は、まず上式（１）に示したように、２つのＴＰ１１０間のチャネル応答から、ＣＡＬリンクごとの校正係数を算出する。チャネル応答は、２つのＴＰ１１０間で送受信されたＣＡＬ信号に対するチャネル推定を実行することにより求められる。そして、ＣＡＬ係数算出部２０８は、ＣＡＬリンクごとの校正係数を算出した後、ＴＰ１１０ごとに、起点のＴＰ１１０との間のＣＡＬ係数を算出する。すなわち、ＣＡＬ係数算出部２０８は、起点のＴＰ１１０から各ＴＰ１１０までの間に含まれるＣＡＬリンクの校正係数を乗算することにより、起点のＴＰ１１０を基準とした各ＴＰ１１０のＣＡＬ係数を算出する。
【００４２】
ＵＬ信号受信部２０９は、ＵＥから送信されて各ＴＰ１１０によって受信されたＵＬ信号を受信する。そして、ＵＬ信号受信部２０９は、ＵＬ信号を用いて、ＵＥと各ＴＰ１１０の間のチャネル推定値を算出する。
【００４３】
チャネル推定値補正部２１０は、ＵＬ信号受信部２０９によって算出されたチャネル推定値を、ＣＡＬ係数算出部２０８によって算出されたＣＡＬ係数によって補正する。すなわち、チャネル推定値補正部２１０は、ＵＬのチャネル推定値をＣＡＬ係数によって補正することにより、ＤＬのチャネル推定値を得る。
【００４４】
ＤＬ信号送信部２１１は、チャネル推定値補正部２１０によって得られたＤＬのチャネル推定値を用いて、ＵＥを送信先とするＤＬ信号を送信する。具体的には、ＤＬ信号送信部２１１は、ＤＬのチャネル推定値を用いてＤＬ信号のプリコーディング行列を生成し、ＤＬ信号をプリコーディングした上で各ＴＰ１１０へ送信する。これにより、ＤＬ信号は、各ＴＰ１１０から適切な送信ウェイトで送信される。
【００４５】
次いで、上記のように構成されたベースバンド処理装置１００によるＤＬ信号の送信方法について、図３に示すフロー図を参照しながら説明する。
【００４６】
例えば１日に１回などの所定の周期が到来した際やＣＡＬ信号の平均受信レベルが所定の閾値未満になった際には、ＣＡＬリンクを更新するために既知の測定信号がＴＰ１１０間で送受信される（ステップＳ１０１）。具体的には、測定信号送信部２０１によって、１つのＴＰ１１０からの測定信号の送信が順次指示され、他のＴＰ１１０によって受信された測定信号が測定信号受信部２０２によって受信される。測定信号の送受信は、例えばＤＬ及びＵＬのいずれの信号も送受信されないＧＰを利用して実行されても良い。
【００４７】
そして、測定信号受信部２０２によって受信された測定信号が用いられることにより、ＴＰ１１０間のＳＮＲが算出される（ステップＳ１０２）。すなわち、すべてのＴＰ１１０のペアごとに測定信号が送受信されているため、ＳＮＲ算出部２０３によって、各ペアのＴＰ１１０間のＳＮＲが算出される。すべてのペアについてＳＮＲが算出されると、ＣＡＬリンク生成部２０４によって、ＣＡＬ信号の送受信に用いられるＣＡＬリンクが生成される（ステップＳ１０３）。ＣＡＬリンク生成の際には、１つの起点のＴＰ１１０が選択され、起点のＴＰ１１０からＳＮＲが所定の基準を満たすＴＰ１１０が順次接続される。したがって、起点のＴＰ１１０を中心として、連続したＣＡＬリンクで接続された複数のＴＰ１１０を含むＣＡＬグループが形成される。このＣＡＬグループに属さないＴＰ１１０が残っている場合には、残ったＴＰ１１０のいずれか１つが新たに起点のＴＰ１１０として選択され、同様にＣＡＬリンクを生成することにより、他のＣＡＬグループが形成される。
【００４８】
ＣＡＬリンクが生成されると、ＣＡＬリンク調整部２０５によって、ＣＡＬリンク調整処理が実行される（ステップＳ１０４）。すなわち、ＵＥごとの協調セットに含まれるＴＰ１１０が可能な限り同一のＣＡＬグループに属するように、新たなＣＡＬリンクが生成されてＣＡＬグループが変更される。ＣＡＬリンク調整部２０５によるＣＡＬリンク調整処理については、後に詳述する。
【００４９】
ＣＡＬリンクが調整されると、ＣＡＬリンクによって接続されたＴＰ１１０間でＣＡＬ信号が送受信される（ステップＳ１０５）。具体的には、ＣＡＬ信号送信部２０６によって、いずれかのＴＰ１１０からのＣＡＬ信号の送信が順次指示され、他のＴＰ１１０によって受信されたＣＡＬ信号がＣＡＬ信号受信部２０７によって受信される。なお、ＣＡＬ信号の送受信は、それぞれのＣＡＬグループごとに実行される。また、各ＣＡＬグループ内では、複数のＴＰ１１０が同時にＣＡＬ信号を送信しても良いが、複数のＴＰ１１０から同時にＣＡＬ信号が送信される場合には、各ＴＰ１１０から送信されるＣＡＬ信号は、互いに直交した系列を含む。
【００５０】
ＣＡＬ信号が送受信されると、ＣＡＬ係数算出部２０８によってＣＡＬ信号を用いたチャネル推定が実行され、各ＴＰ１１０間のチャネル推定値に基づいて、各ＴＰ１１０の送信回路及び受信回路の伝送特性の相違を校正するＣＡＬ係数が算出される（ステップＳ１０６）。具体的には、ＣＡＬ係数算出部２０８によって、例えば上式（１）によってＣＡＬリンクごとの校正係数が算出された後、各ＣＡＬグループ内の起点のＴＰ１１０から各ＴＰ１１０までのＣＡＬリンクの校正係数が乗算されることにより、ＴＰ１１０ごとのＣＡＬ係数が算出される。
【００５１】
このように、ＴＰ１１０ごとのＣＡＬ係数を算出するキャリブレーションが実行されることにより、ＵＬのチャネル推定値をＤＬのチャネル推定値に補正することが可能となる。そこで、ＵＥからＵＬ信号が送信されると、このＵＬ信号はＵＥの通信相手のＴＰ１１０によって受信され、ベースバンド処理装置１００へ送信される。そして、ＵＬ信号は、ＵＬ信号受信部２０９によって受信され（ステップＳ１０７）、ＵＬのチャネル推定が実行される（ステップＳ１０８）。すなわち、ＵＬ信号受信部２０９によって、ＵＥとＴＰ１１０の間のＵＬのチャネル推定値が求められる。
【００５２】
求められたＵＬのチャネル推定値は、チャネル推定値補正部２１０へ出力され、チャネル推定値補正部２１０によってチャネル推定値が補正されることにより（ステップＳ１０９）、ＤＬのチャネル推定値が得られる。そして、ＤＬのチャネル推定値がＤＬ信号送信部２１１へ出力され、ＤＬ信号送信部２１１によって、ＤＬ信号に送信ウェイトを適用するためのプリコーディング行列が生成される（ステップＳ１１０）。このとき、ＤＬ信号送信部２１１は、チャネル推定値補正部２１０によって補正されたチャネル推定値を用いてプリコーディング行列を生成する。
【００５３】
そして、ＵＥ宛てのＤＬ信号がプリコーディング行列を用いてプリコーディングされ、送信Ｉ／Ｆ部１０１からＣＡＬグループ内の複数のＴＰ１１０へ送信される（ステップＳ１１１）。ＤＬ信号は、ＣＡＬグループ内の複数のＴＰ１１０からＵＥへ協調送信される。このように、ＵＬのチャネル推定値を補正して得られたＤＬのチャネル推定値からプリコーディング行列を求めてＤＬ信号をプリコーディングするため、ＵＥにおけるＤＬ信号の受信特性を向上することができる。また、ＵＥの協調セットに含まれるＴＰ１１０が可能な限り同一のＣＡＬグループに属するようにＣＡＬリンクが調整されているため、ＣＡＬグループ内のＴＰ１１０が協調送信を実行する際、他のＣＡＬグループに属するＴＰ１１０からの干渉を低減することができる。
【００５４】
次に、実施の形態１に係るＣＡＬリンク調整処理について、図４に示すフロー図を参照しながら具体的に説明する。図４に示すＣＡＬリンク調整処理は、ＣＡＬリンク生成部２０４によってＣＡＬリンクが生成され、それぞれ複数のＴＰ１１０を含むＣＡＬグループが形成された後、主にＣＡＬリンク調整部２０５によって実行される。
【００５５】
まず、ＵＥに対して協調送信をするのに好適なＣＡＬグループに属していないＴＰ１１０を検出するために、ＵＥにおける各ＴＰ１１０からの受信電力が所定期間モニタリングされる。具体的には、所定期間の開始時に、好適なＣＡＬグループに属していないＴＰ１１０として検出される頻度をＴＰ１１０ごとにカウントするための検出頻度テーブルが初期化される（ステップＳ２０１）。検出頻度テーブルは、例えば図５に示すように、それぞれのＴＰ１１０について、現在所属しているＣＡＬグループと、ＵＥに対して協調送信する場合に所属するのが理想的なＣＡＬグループ（以下「理想グループ」という）とが異なる頻度をカウントするテーブルである。図５に示す例では、例えばＴＰ＃３がＵＥに対して協調送信をするための理想グループとして、１０回ＣＡＬグループ＃１が選択されたことを示す。検出頻度テーブルの初期化では、各ＴＰ１１０に関する頻度がすべてクリアされる。
【００５６】
そして、ベースバンド処理装置１００が通信可能なエリア内に位置するＵＥごとに、協調送信を実行するのが好ましい複数のＴＰ１１０からなる協調セットが生成される（ステップＳ２０２）。ＵＥに対して協調送信を実行するのが好ましいＴＰ１１０は、このＵＥにおける受信電力が高いＴＰ１１０である。そこで、例えば図６に示すように、それぞれのＵＥについて、ＵＥにおけるＤＬの受信電力が高い方から所定数のＴＰ１１０がこのＵＥの協調セットとなる。図６に示す例では、例えばＵＥ＃１の協調セットには、受信電力が高いＴＰ＃２、ＴＰ＃１、ＴＰ＃５及びＴＰ＃６などが含まれる。同様に、ＵＥ＃２の協調セットには、受信電力が高いＴＰ＃２、ＴＰ＃３、ＴＰ＃１及びＴＰ＃４などが含まれる。なお、協調セットの生成のために、各ＵＥは、各ＴＰ１１０からのＤＬの受信電力をいずれかのＴＰ１１０を介してベースバンド処理装置１００へフィードバックしても良い。また、ＵＥからの各ＴＰ１１０におけるＵＬの受信電力をＵＥにおけるＤＬの受信電力とみなして協調セットが生成されても良い。さらに、協調セットは、ＵＥにおける受信電力が所定の閾値以上であるＴＰ１１０を含むように生成されても良い。
【００５７】
１つのＵＥについて協調セットが生成されると、この協調セットに含まれるすべてのＴＰ１１０が同一のＣＡＬグループに所属するか否かが判定される（ステップＳ２０３）。この判定の結果、協調セットに含まれるすべてのＴＰ１１０が同一のＣＡＬグループに所属している場合は（ステップＳ２０３Ｙｅｓ）、これらのＴＰ１１０は、互いにキャリブレーションをすることが可能であり、ＵＥに対して協調送信を実行することができる。例えば図６に示した例では、ＵＥ＃１の協調セットに含まれるすべてのＴＰ１１０がＣＡＬグループ＃１に所属するため、これらのＴＰ１１０は、ＵＥ＃１に対する協調送信を実行することができる。
【００５８】
一方、協調セットに含まれるＴＰ１１０の中に、他のＴＰ１１０とは異なるＣＡＬグループに所属するものがある場合（ステップＳ２０３Ｎｏ）、現在のＣＡＬグループのままでは協調セットに含まれるＴＰ１１０が互いにキャリブレーションすることができない。例えば図６に示した例では、ＵＥ＃２の協調セットに含まれるＴＰ＃３がＣＡＬグループ＃２に所属しており、他のＴＰ＃２、ＴＰ＃１及びＴＰ＃４とは所属するＣＡＬグループが異なる。このため、ＵＥ＃２の協調セットにおいて、現在のＣＡＬグループのままではＴＰ＃３に関するキャリブレーションをすることができず、ＵＥ＃２に対する協調送信を実行することができない。
【００５９】
そこで、他のＴＰ１１０とは異なるＣＡＬグループに所属するＴＰ１１０に関して、検出頻度テーブルの頻度が更新される（ステップＳ２０４）。具体的には、ＵＥごとの協調セットにおいて、所属するＴＰ１１０の数が最も多いＣＡＬグループが理想グループとなり、理想グループ以外のＣＡＬグループに所属するＴＰ１１０について、検出頻度テーブルにおける頻度が１インクリメントされる。すなわち、例えば図６に示したように、ＵＥ＃２の協調セットにおいて、ＴＰ＃３の理想グループがＣＡＬグループ＃１である場合には、検出頻度テーブルにおいて、ＴＰ＃３の理想グループがＣＡＬグループ＃１である頻度が１インクリメントされる。
【００６０】
なお、検出頻度テーブルの更新に際しては、必ずしも理想グループ以外のすべてのＣＡＬグループに所属するＴＰ１１０について、頻度が更新されなくても良い。すなわち、ＵＥごとの協調セットにおいて、例えば所属するＴＰ１１０の数が２番目に多いＣＡＬグループに所属するＴＰ１１０についてのみ、検出頻度テーブルの頻度が更新されるようにしても良い。こうすることにより、理想グループが異なる頻度が過度にカウントされてしまうことを抑制することができる。また、検出頻度テーブルの頻度が１インクリメントされる代わりに、ＴＰ１１０のＵＥにおける受信電力に応じた値が頻度に加算されるようにしても良い。すなわち、ＵＥにおける受信電力が大きいＴＰ１１０ほど大きい値が頻度に加算されるようにしても良い。
【００６１】
以上の処理が１つのＵＥの協調セットについて実行されると、ベースバンド処理装置１００が通信可能なエリア内のすべてのＵＥについて処理が完了したか否かが判定される（ステップＳ２０５）。そして、処理が完了していないＵＥがある場合には（ステップＳ２０５Ｎｏ）、処理が完了していない１つのＵＥの協調セットについて上述した処理が繰り返される（ステップＳ２０２〜Ｓ２０４）。また、すべてのＵＥについて処理が完了した場合には（ステップＳ２０５Ｙｅｓ）、ＵＥにおける受信電力をモニタリングするための所定期間が満了したか否かが判定される（ステップＳ２０６）。そして、所定期間が満了していない場合には（ステップＳ２０６Ｎｏ）、再度エリア内のＵＥそれぞれについて上述した処理が繰り返される（ステップＳ２０２〜Ｓ２０５）。
【００６２】
一方、ＵＥにおける受信電力をモニタリングするための所定期間が満了すると（ステップＳ２０６Ｙｅｓ）、所属するＣＡＬグループの変更の対象となるターゲットＴＰが検出頻度テーブルから抽出される（ステップＳ２０７）。つまり、現在所属するＣＡＬグループと理想グループとが異なる頻度が大きいＴＰ１１０がターゲットＴＰとして選択される。具体的には、検出頻度テーブルにおいて、頻度の数値が所定の閾値以上であるＴＰ１１０がターゲットＴＰとして選択される。ターゲットＴＰは、頻度の数値が大きいＴＰ１１０であるため、ターゲットＴＰを理想グループに所属させることにより、多くのＵＥの協調セットに含まれるＴＰ１１０が同一のＣＡＬグループに所属することになる。
【００６３】
ターゲットＴＰが抽出されると、ターゲットＴＰと理想グループに所属するいずれかのＴＰ１１０とを直接接続するＣＡＬリンク（以下「直接リンク」という）が生成可能であるか否かが判定される（ステップＳ２０８）。具体的には、理想グループに所属するＴＰ１１０の中に、ターゲットＴＰとの間のＳＮＲが所定の基準を満たすものがあるか否かが判定される。ここでの基準は、ＣＡＬリンク生成部２０４によってＣＡＬリンクが生成されるための基準を緩和したものが用いられる。すなわち、例えば図７に示すように、ＣＡＬリンク生成部２０４によってＣＡＬリンクが生成されるためのＳＮＲの閾値を閾値ＴＨlinkとすると、この閾値ＴＨlinkよりも所定値ｄ1だけ小さい値が閾値とされる。理想グループに所属するＴＰ１１０の中に、ターゲットＴＰとの間のＳＮＲが閾値以上のものがある場合、このＴＰ１１０とターゲットＴＰの間に直接リンクが生成可能であると判定される。したがって、図７に示す例では、ＴＰ＃２とターゲットＴＰの間に直接リンクが生成可能であると判定される。
【００６４】
なお、上記の所定値ｄ1は、固定値でも良いが、適応的に変更される値でも良い。例えば、ターゲットＴＰが所属するＣＡＬグループに複数のターゲットＴＰが含まれる場合は、所定値ｄ1を大きくしてＳＮＲの閾値を小さくし、直接リンクが生成されやすいようにしても良い。また、直接リンクは、ＣＡＬリンク生成部２０４によって生成されるＣＡＬリンクよりもＳＮＲが小さいＴＰ１１０間で生成可能と判定されるため、直接リンクにおけるＣＡＬ係数の精度は、他のＣＡＬリンクにおけるＣＡＬ係数の精度よりも低いとかんがえられる。そこで、直接リンクにおいては、複数回ＣＡＬ信号を送受信させることにより、送受信のたびに算出されるＣＡＬ係数の平均値をＣＡＬ係数としても良い。
【００６５】
直接リンクの生成が可能ではない場合（ステップＳ２０８Ｎｏ）、換言すれば、ターゲットＴＰと理想グループのＴＰ１１０との間のＳＮＲがすべて閾値未満である場合は、ターゲットＴＰと理想グループのＴＰ１１０とを間接的に接続するＣＡＬリンク（以下「間接リンク」という）が生成可能であるか否かが判定される（ステップＳ２０９）。具体的には、理想グループに所属するＴＰ１１０の中に、ターゲットＴＰが所属するＣＡＬグループ内のいずれかのＴＰ１１０との間のＳＮＲが所定の基準を満たすものがあるか否かが判定される。ここでの基準は、直接リンクが生成可能であるか否かの判定時に用いられる基準と同じでも良い。
【００６６】
図８は、間接リンク生成について説明する図である。図８に示すように、ＣＡＬグループ＃２に所属するＴＰ＃３がターゲットＴＰとして選択され、ＴＰ＃３の理想グループがＣＡＬグループ＃１である場合、ＴＰ＃３とＣＡＬグループ＃１に所属するＴＰとの間の直接リンクが生成可能ではないことがある。このような場合、ＴＰ＃３と同一のＣＡＬグループ＃２に所属するＴＰ＃８及びＴＰ＃９と理想グループに所属するＴＰとの間のＣＡＬリンクが生成可能であるか否かが判定される。図８に示す例では、ＴＰ＃９とＴＰ＃１との間でＣＡＬリンクが生成可能であるため、ＴＰ＃９とＴＰ＃１とがＣＡＬリンクで接続されることにより、ターゲットＴＰであるＴＰ＃３と理想グループのＴＰ＃１とがＴＰ＃９を介して間接的に接続されることになる。
【００６７】
ターゲットＴＰについて、理想グループ内のＴＰ１１０との間で直接リンク又は間接リンクが生成可能である場合（ステップＳ２０８Ｙｅｓ、ステップＳ２０９Ｙｅｓ）、直接リンク又は間接リンクが生成される（ステップＳ２１０）。すなわち、生成可能であると判定されたＣＡＬリンクが生成され、ターゲットＴＰが理想グループのＴＰ１１０と同一のＣＡＬグループに所属することになる。換言すれば、ターゲットＴＰが所属するＣＡＬグループと理想グループとが結合され、１つのＣＡＬグループとなる。
【００６８】
具体的に例を挙げると、例えば図９の上図に示すように、ターゲットＴＰであるＴＰ＃３と理想グループ内のＴＰ＃２との間に直接リンクが生成されると、図９の下図に示すように、ＣＡＬグループ＃１、＃２が結合された１つのＣＡＬグループが形成される。そして、新たなＣＡＬグループに所属する任意のＴＰ１１０の間でキャリブレーションが可能となるため、このＣＡＬグループに所属するＴＰ１１０は、協調送信を実行することができる。結果として、例えばＣＡＬグループ＃１に所属するＴＰ１１０による協調送信時に干渉源となるＣＡＬグループ＃２がなくなり、ＵＥへの干渉を低減することができる。
【００６９】
１つのターゲットＴＰについて新たにＣＡＬリンクが生成されてＣＡＬグループが変更された場合、又はこのターゲットＴＰについて直接リンク及び間接リンクが生成可能ではない場合（ステップＳ２０９Ｎｏ）、すべてのターゲットＴＰについて処理が完了したか否かが判定される（ステップＳ２１１）。そして、処理が完了していないターゲットＴＰがある場合には（ステップＳ２１１Ｎｏ）、処理が完了していない１つのターゲットＴＰについて上述した処理が繰り返される（ステップＳ２０８〜Ｓ２１０）。
【００７０】
ただし、既に理想グループのＴＰ１１０と直接リンク又は間接リンクによって接続されたターゲットＴＰと所属グループも理想グループも同一であるターゲットＴＰについては、この所属するＣＡＬグループが理想グループと結合済みであるため、処理を省略することができる。すなわち、例えば図１０の上図に示すように、ターゲットＴＰであるＴＰ＃３及びＴＰ＃１０が同一のＣＡＬグループ＃２に所属しており、双方のターゲットＴＰの理想グループがＣＡＬグループ＃１である場合を考える。この場合、図１０の下図に示すように、ＴＰ＃３とＴＰ＃２が直接リンクで接続されることにより、ＣＡＬグループ＃１、＃２が結合されるため、改めてＴＰ＃１０について直接リンク又は間接リンクを生成する必要がない。すなわち、図１０の下図に示すように、ＴＰ＃１０は、ＴＰ＃３を介して、理想グループであるＣＡＬグループ＃２のＴＰ＃２と接続済みである。
【００７１】
また、例えば図１１の上図に示すように、ターゲットＴＰであるＴＰ＃３及びＴＰ＃１０が同一のＣＡＬグループ＃２に所属していても、双方のターゲットＴＰの理想グループが異なる場合は、それぞれのターゲットＴＰについて処理が繰り返される。すなわち、ＴＰ＃３の理想グループがＣＡＬグループ＃３であり、ＴＰ＃１０の理想グループがＣＡＬグループ＃１である場合には、ＴＰ＃３とＣＡＬグループ＃３のＴＰとが直接リンク又は間接リンクで接続され、ＴＰ＃１０とＣＡＬグループ＃１のＴＰとが直接リンク又は間接リンクで接続される。この結果、図１１の下図に示すように、例えばＴＰ＃３とＴＰ＃１１がＣＡＬリンクで接続され、ＴＰ＃１０とＴＰ＃１がＣＡＬリンクで接続され、３つのＣＡＬグループが結合される。
【００７２】
さらに、例えば図１２の上図に示すように、ターゲットＴＰであるＴＰ＃３及びＴＰ＃１１が異なるＣＡＬグループに所属していれば、双方のターゲットＴＰの理想グループが同一であっても、それぞれのターゲットＴＰについて処理が繰り返される。すなわち、ＴＰ＃３がＣＡＬグループ＃２に所属しており、ＴＰ＃１１がＣＡＬグループ＃３に所属している場合には、ＴＰ＃３とＣＡＬグループ＃１のＴＰとが直接リンク又は間接リンクで接続され、ＴＰ＃１１とＣＡＬグループ＃１のＴＰとが直接リンク又は間接リンクで接続される。この結果、図１２の下図に示すように、例えばＴＰ＃３とＴＰ＃２がＣＡＬリンクで接続され、ＴＰ＃１１とＴＰ＃７がＣＡＬリンクで接続され、３つのＣＡＬグループが結合される。
【００７３】
以上のように、本実施の形態によれば、回線品質が良好なＴＰ間にＣＡＬリンクが生成されて複数のＴＰを含むＣＡＬグループが形成された後、ＵＥごとの協調セットに含まれるＴＰが可能な限り同一のＣＡＬグループに所属するようにＣＡＬリンクが調整される。このため、ＵＥにおける受信電力が比較的高いＴＰが同一のＣＡＬグループに所属し、これらのＴＰ間のキャリブレーションが実行される。結果として、ＵＥに対して干渉を与え得るＴＰを含む複数のＴＰが協調送信を実行可能となり、ＵＥへの干渉を低減することができる。
【００７４】
（実施の形態２）
実施の形態２の特徴は、ＣＡＬリンクを調整する際に、ターゲットＴＰと理想グループのＴＰとの間の直接リンク及び間接リンクの生成が可能でなければ、ＵＥを介したキャリブレーションを実行する点である。
【００７５】
上記実施の形態１においては、ＣＡＬリンク調整部２０５によるＣＡＬリンクの調整時に、ターゲットＴＰごとに理想グループ内のＴＰ１１０との間の直接リンク及び間接リンクが生成可能であるか否かが判定された。この判定の結果、直接リンク及び間接リンクがいずれも生成可能でない場合には、ターゲットＴＰと理想グループ内のＴＰ１１０との間のキャリブレーションが実行されない。しかし、ターゲットＴＰと理想グループ内のＴＰ１１０との双方からの受信電力が大きいＵＥが存在する場合には、このＵＥを介してターゲットＴＰについてのキャリブレーションが可能となる。そこで、実施の形態２においては、理想グループ内のＴＰ１１０との間の直接リンク及び間接リンクが生成可能ではないターゲットＴＰについて、ＵＥを介したキャリブレーションを実行する場合について説明する。
【００７６】
実施の形態２に係る無線通信システム及びベースバンド処理装置１００の構成は、実施の形態１（図１、２）と同様であるため、その説明を省略する。実施の形態２においては、ＣＡＬリンク調整部２０５によるＣＡＬリンク調整処理が実施の形態１とは異なる。具体的には、実施の形態２においては、ターゲットＴＰと理想グループ内のＴＰ１１０との間で直接リンク及び間接リンクがいずれも生成可能でない場合の処理が実施の形態１とは異なる。
【００７７】
図１３は、実施の形態２に係るＣＡＬリンク調整処理を示すフロー図である。図１３に示すＣＡＬリンク調整処理は、ターゲットＴＰと理想グループ内のＴＰ１１０との間で直接リンク及び間接リンクがいずれも生成可能でない場合に、ＣＡＬリンク調整部２０５によって実行される。すなわち、実施の形態１に係るＣＡＬリンク調整処理（図４）のステップＳ２０９において、ターゲットＴＰと理想グループ内のＴＰ１１０との間で間接リンクが生成可能でないと判定された場合に（ステップＳ２０９Ｎｏ）、図１３に示す処理が実行される。
【００７８】
ターゲットＴＰと理想グループ内のＴＰ１１０とが直接リンク及び間接リンクのいずれでも接続されない場合には、このターゲットＴＰを含む協調セットが抽出される（ステップＳ３０１）。すなわち、ターゲットＴＰからの受信電力が比較的大きいＵＥの協調セットが抽出される。各ＵＥの協調セットは、ＵＥにおける受信電力をモニタリングする期間に生成済みである（図４のステップＳ２０２）。
【００７９】
そして、抽出された協調セットごとに、ＵＥにおける各ＴＰ１１０からの受信電力が、ＵＥにおけるターゲットＴＰからの受信電力を基準とした閾値と比較される（ステップＳ３０２）。この比較の結果、ＵＥにおける受信電力が閾値以上であり、かつ、ターゲットＴＰの理想グループに所属するＴＰ１１０があるか否かが判定される（ステップＳ３０３）。そして、条件を満たすＴＰ１１０がある場合には（ステップＳ３０３Ｙｅｓ）、このＴＰ１１０が候補ＴＰとして記憶される（ステップＳ３０４）。
【００８０】
具体的に例を挙げると、例えば図１４に示すように、ＵＥにおけるターゲットＴＰからの受信電力を電力Ｐtgtとすると、この電力Ｐtgtよりも所定値ｄ2だけ小さい値が閾値とされる。そして、ＵＥの協調セットに含まれるＴＰ１１０のうち、ＵＥにおける受信電力が閾値以上であり、かつ、ターゲットＴＰの理想グループに所属するＴＰ１１０が候補ＴＰとなる。したがって、図１４に示す例において、ＴＰ＃１、ＴＰ＃２及びＴＰ＃４がいずれもターゲットＴＰの理想グループに所属する場合には、ＴＰ＃１及びＴＰ＃２が候補ＴＰとして記憶される。なお、条件を満たすＴＰ１１０がすべて候補ＴＰとして記憶される必要はなく、例えば条件を満たすＴＰ１１０のうちＵＥにおける受信電力が最大のＴＰ１１０のみが候補ＴＰとして記憶されても良い。
【００８１】
以上の処理が１つのＵＥの協調セットについて実行されると、ターゲットＴＰを含む協調セットすべてについて処理が完了したか否かが判定される（ステップＳ３０５）。そして、処理が完了していない協調セットがある場合には（ステップＳ３０５Ｎｏ）、処理が完了していない１つの協調セットについて上述した処理が繰り返される（ステップＳ３０２〜Ｓ３０４）。
【００８２】
一方、ターゲットＴＰを含む協調セットすべてについて処理が完了した場合には（ステップＳ３０５Ｙｅｓ）、候補ＴＰとして記憶された回数が最大のＴＰ１１０が選択される（ステップＳ３０６）。ここで選択されるＴＰ１１０は、ターゲットＴＰからの受信電力が大きいとともに、選択されたＴＰ１１０からの受信電力も大きいＵＥが存在する可能性が最も高いＴＰ１１０であるといえる。そこで、ターゲットＴＰ及び選択されたＴＰ１１０の双方からの受信電力が大きいＵＥとターゲットＴＰ及び選択されたＴＰとの間のキャリブレーションが実行される（ステップＳ３０７）。すなわち、１つのＵＥとターゲットＴＰとの間のキャリブレーションが実行されるとともに、同一のＵＥと選択されたＴＰとの間のキャリブレーションが実行される。
【００８３】
このように、ターゲットＴＰ及び選択されたＴＰと共通のＵＥとの間でキャリブレーションが実行されるため、ターゲットＴＰ及び選択されたＴＰの間のＣＡＬ係数が算出可能となる。具体的には、ターゲットＴＰであるＴＰ＃ＡとＵＥの間のＣＡＬ係数ｃa,UEと、選択されたＴＰであるＴＰ＃ＢとＵＥの間のＣＡＬ係数ｃb,UEとから、ＴＰ＃ＡとＴＰ＃Ｂの間のＣＡＬ係数ｃa,bは、以下の式（２）によって算出される。
【数２】
2018160857.tif 000004
【００８４】
これにより、ＵＥを介してターゲットＴＰと理想グループ内のＴＰ１１０との間のキャリブレーションが実行されたため、ターゲットＴＰが所属するＣＡＬグループと理想グループとが結合される（ステップＳ３０８）。すなわち、ターゲットＴＰと理想グループ内のＴＰ１１０との間のＣＡＬ係数が算出されたことにより、ターゲットＴＰが所属するＣＡＬグループ内のＴＰ１１０と理想グループ内のＴＰ１１０との間でＣＡＬ係数を算出することができるため、これらの２つのＣＡＬグループが結合される。
【００８５】
次に、ＵＥを介したＴＰ１１０間のキャリブレーションについて、図１５に示すシーケンス図を参照しながら説明する。図１５においては、ターゲットＴＰをＴＰ＃Ａとし、候補ＴＰから選択された理想グループのＴＰ１１０をＴＰ＃Ｂとする。これらのＴＰ＃Ａ及びＴＰ＃Ｂは、いずれもベースバンド処理装置１００による制御に従ってＣＡＬ信号を送受信する。
【００８６】
まず、ベースバンド処理装置１００のＣＡＬ信号送信部２０６による制御に従って、ＴＰ＃ＡからＵＥへＣＡＬ信号が送信される（ステップＳ４０１）。また、ＵＥからＴＰ＃ＡへもＣＡＬ信号が送信され（ステップＳ４０２）、このＣＡＬ信号はベースバンド処理装置１００のＣＡＬ信号受信部２０７によって受信される。
【００８７】
ＵＥ及びＣＡＬ信号受信部２０７によってそれぞれＣＡＬ信号が受信されると、ＣＡＬ信号に基づくチャネル推定が実行される（ステップＳ４０３、Ｓ４０４）。ＵＥにおけるチャネル推定結果は、ＴＰ＃Ａへ送信され（ステップＳ４０５）、ベースバンド処理装置１００のＣＡＬ信号受信部２０７によって取得される。そして、ＵＥとＴＰ＃Ａの間の双方向のチャネル推定結果に基づいて、ＣＡＬ係数算出部２０８によって、ＵＥとＴＰ＃Ａの間のＣＡＬ係数ｃa,UEが算出される（ステップＳ４０６）。
【００８８】
一方、ＴＰ＃ＢについてもＴＰ＃Ａと同様に、ベースバンド処理装置１００のＣＡＬ信号送信部２０６による制御に従って、ＴＰ＃ＢからＵＥへＣＡＬ信号が送信される（ステップＳ４０７）。また、ＵＥからＴＰ＃ＢへもＣＡＬ信号が送信され（ステップＳ４０８）、このＣＡＬ信号はベースバンド処理装置１００のＣＡＬ信号受信部２０７によって受信される。
【００８９】
ＵＥ及びＣＡＬ信号受信部２０７によってそれぞれＣＡＬ信号が受信されると、ＣＡＬ信号に基づくチャネル推定が実行される（ステップＳ４０９、Ｓ４１０）。ＵＥにおけるチャネル推定結果は、ＴＰ＃Ｂへ送信され（ステップＳ４１１）、ベースバンド処理装置１００のＣＡＬ信号受信部２０７によって取得される。そして、ＵＥとＴＰ＃Ｂの間の双方向のチャネル推定結果に基づいて、ＣＡＬ係数算出部２０８によって、ＵＥとＴＰ＃Ｂの間のＣＡＬ係数ｃb,UEが算出される（ステップＳ４１２）。
【００９０】
ＴＰ＃Ａ及びＴＰ＃Ｂについて、それぞれＵＥとの間のＣＡＬ係数が算出されると、ＣＡＬ係数算出部２０８によって、上式（２）のＣＡＬ係数ｃa,bが算出される（ステップＳ４１３）。このように、ＴＰ＃ＡとＴＰ＃Ｂが直接リンク又は間接リンクで接続されていなくても、ＵＥを介したキャリブレーションにより、ＴＰ＃ＡとＴＰ＃Ｂの間のＣＡＬ係数を算出することができる。そして、ＴＰ１１０間のＣＡＬ係数が算出されれば、これらのＴＰ１１０を同一のＣＡＬグループとすることができ、ターゲットＴＰが所属するＣＡＬグループとターゲットＴＰの理想グループとを結合することができる。
【００９１】
以上のように、本実施の形態によれば、回線品質が良好なＴＰ間にＣＡＬリンクが生成されて複数のＴＰを含むＣＡＬグループが形成された後、ＵＥごとの協調セットに含まれるＴＰが可能な限り同一のＣＡＬグループに所属するようにＣＡＬグループが結合される。また、ＣＡＬグループの結合の際、結合される各ＣＡＬグループのＴＰ間にＣＡＬリンクが生成されない場合でも、ＵＥを介してＴＰ間のキャリブレーションが実行される。このため、ＵＥにおける受信電力が比較的高いＴＰが同一のＣＡＬグループに所属し、これらのＴＰ間のキャリブレーションが実行される。結果として、ＵＥに対して干渉を与え得るＴＰを含む複数のＴＰが協調送信を実行可能となり、ＵＥへの干渉を低減することができる。
【符号の説明】
【００９２】
１０１  送信Ｉ／Ｆ部
１０２  受信Ｉ／Ｆ部
１０３  プロセッサ
１０４  メモリ
２０１  測定信号送信部
２０２  測定信号受信部
２０３  ＳＮＲ算出部
２０４  ＣＡＬリンク生成部
２０５  ＣＡＬリンク調整部
２０６  ＣＡＬ信号送信部
２０７  ＣＡＬ信号受信部
２０８  ＣＡＬ係数算出部
２０９  ＵＬ信号受信部
２１０  チャネル推定値補正部
２１１  ＤＬ信号送信部
【図１】
2018160857.tif 000005
【図２】
2018160857.tif 000006
【図３】
2018160857.tif 000007
【図４】
2018160857.tif 000008
【図５】
2018160857.tif 000009
【図６】
2018160857.tif 000010
【図７】
2018160857.tif 000011
【図８】
2018160857.tif 000012
【図９】
2018160857.tif 000013
【図１０】
2018160857.tif 000014
【図１１】
2018160857.tif 000015
【図１２】
2018160857.tif 000016
【図１３】
2018160857.tif 000017
【図１４】
2018160857.tif 000018
【図１５】
2018160857.tif 000019
【図１６】
2018160857.tif 000020
【図１７】
2018160857.tif 000021
【図１８】
2018160857.tif 000022